【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
トランザクション処理方法であって：
オブジェクトノードをオンラインソーシャルネットワークのグループに関連付ける相関要求を受信するステップと；
前記オンラインソーシャルネットワークのグループによりプリセットされたリソース取得要求を前記オブジェクトノードに対して開始するステップと；
前記オブジェクトノードの信頼できるリソースをクエリし、前記信頼できるリソースが前記リソース取得要求によって要求されるターゲットリソースを含むかどうかを検証するステップと；
前記検証結果が肯定の場合、前記オブジェクトノードの前記信頼できるリソースから前記ターゲットリソースを抽出するステップと；
前記オブジェクトノードの前記信頼できるリソースから抽出された前記ターゲットリソースを、前記オンラインソーシャルネットワークのグループの共有リソースプールへ投入し、前記オブジェクトノードを前記オンラインソーシャルネットワークのグループに関連付けるステップと；を備え、
前記オンラインソーシャルネットワークのグループとの関連付けの後、前記オブジェクトノードは前記共有リソースプールの使用をクエリすることができるようになる、
トランザクション処理方法。
【請求項２】
トランザクション処理方法であって：
オブジェクトノードへ相関要求を送信するステップであって、前記相関要求はオンラインソーシャルネットワークのグループによりプリセットされたリソース取得要求を含む、送信するステップと；
前記オブジェクトノードの信頼できるリソースにクエリして、前記信頼できるリソースが前記リソース取得要求により要求されるターゲットリソースを含むかどうかを検証するステップと；
前記検証結果が肯定の場合、前記オブジェクトノードの前記信頼できるリソースから前記ターゲットリソースを抽出するステップと；
前記オブジェクトノードの前記信頼できるリソースから抽出された前記ターゲットリソースを前記オンラインソーシャルネットワークのグループの共有リソースプールへ投入し、前記オブジェクトノードを前記オンラインソーシャルネットワークのグループに関連付けるステップと；を備え、
前記オンラインソーシャルネットワークのグループとの関連付けの後、前記オブジェクトノードは前記共有リソースプールの使用をクエリすることができるようになる、
トランザクション処理方法。
【請求項３】
トランザクション処理方法であって：
対象ユーザをオンラインソーシャルネットワークのグループに関連付ける相関要求を受信するステップと；
前記オンラインソーシャルネットワークのグループによりプリセットされた支払い要求を前記対象ユーザに対して開始するステップと；
前記対象ユーザの口座の使える金額をクエリして、前記使える金額が前記支払い要求により要求される対象金額以上であるかを検証するステップと；
前記検証結果が肯定の場合、前記対象ユーザの前記口座の前記使える金額から前記対象金額を引き出すステップと；
前記対象ユーザの前記口座の前記使える金額から引き出された前記対象金額を前記オンラインソーシャルネットワークのグループの共有口座へ投入し、前記対象ユーザを前記オンラインソーシャルネットワークのグループに関連付けるステップと；を備え、
前記オンラインソーシャルネットワークのグループとの関連付けの後、前記対象ユーザは前記共有口座の使用をクエリすることができるようになる、
トランザクション処理方法。
【請求項４】
前記対象ユーザはインスタントメッセージユーザであり、
前記相関要求及び前記支払い要求はインスタントメッセージにより送信される、
請求項３に記載の方法。
【請求項５】
トランザクション処理方法であって：
相関要求を対象ユーザへ送信するステップであって、前記相関要求はオンラインソーシャルネットワークのグループによりプリセットされた支払い要求を含む、ステップと；
前記対象ユーザの口座の使える金額をクエリして、前記使える金額が前記支払い要求により要求される対象金額以上であるかを検証するステップと；
前記検証結果が肯定の場合、前記対象ユーザの前記口座の前記使える金額から前記対象金額を引き出すステップと；
前記対象ユーザの前記口座の前記使える金額から引き出された前記対象金額を、前記オンラインソーシャルネットワークのグループの共有口座へ投入し、前記対象ユーザを前記オンラインソーシャルネットワークのグループに関連付けるステップと；を備え、
前記オンラインソーシャルネットワークのグループとの関連付けの後、前記対象ユーザは前記共有口座の使用をクエリすることができるようになる、
トランザクション処理方法。
【請求項６】
前記対象ユーザはインスタントメッセージユーザであり、
前記相関要求及び前記支払い要求はインスタントメッセージにより送信される、
請求項５に記載の方法。
【請求項７】
トランザクション処理システムであって：
オブジェクトノードをオンラインソーシャルネットワークのグループに関連付ける相関要求を受信する受信部と；
前記オンラインソーシャルネットワークのグループによりプリセットされたリソース取得要求を前記オブジェクトノードに対して開始する送信部と；
前記オブジェクトノードの信頼できるリソースをクエリし、前記信頼できるリソースが前記リソース取得要求によって要求されるターゲットリソースを含むかどうかを検証する検証部と；
前記オブジェクトノードの前記信頼できるリソースから抽出された前記ターゲットリソースを、前記オンラインソーシャルネットワークのグループの共有リソースプールへ投入するリソース組合せ部と；
前記検証結果が肯定の場合、前記オブジェクトノードの前記信頼できるリソースから前記ターゲットリソースを抽出し、前記オブジェクトノードの前記信頼できるリソースから抽出された前記ターゲットリソースを、前記オンラインソーシャルネットワークのグループの共有リソースプールへ投入し、前記オブジェクトノードを前記オンラインソーシャルネットワークのグループに関連付ける相関部と；を備え、
前記オンラインソーシャルネットワークのグループとの関連付けの後、前記オブジェクトノードは前記共有リソースプールの使用をクエリすることができるようになる、
トランザクション処理システム。
【請求項８】
トランザクション処理システムであって：
オブジェクトノードに相関要求を送信するものであって、前記相関要求はオンラインソーシャルネットワークのグループによりプリセットされたリソース取得要求を含む、送信部と；
前記オブジェクトノードの信頼できるリソースにクエリして、前記信頼できるリソースが前記リソース取得要求により要求されるターゲットリソースを含むかどうかを検証する検証部と；
前記オブジェクトノードの前記信頼できるリソースから抽出された前記ターゲットリソースを、前記オンラインソーシャルネットワークのグループの共有リソースプールへ投入するリソース組合せ部と；
前記検証結果が肯定の場合、前記オブジェクトノードの前記信頼できるリソースから前記ターゲットリソースを抽出し、前記オブジェクトノードの前記信頼できるリソースから抽出された前記ターゲットリソースを、前記オンラインソーシャルネットワークのグループの共有リソースプールへ投入し、前記オブジェクトノードを前記オンラインソーシャルネットワークのグループに関連付ける相関部と；を備え、
前記オンラインソーシャルネットワークのグループとの関連付けの後、前記オブジェクトノードは前記共有リソースプールの使用をクエリすることができるようになる、
トランザクション処理システム。
【請求項９】
トランザクション処理システムであって：
対象ユーザをオンラインソーシャルネットワークのグループに関連付ける相関要求を受信する受信部と；
前記オンラインソーシャルネットワークのグループによりプリセットされた支払い要求を前記対象ユーザに対して開始する送信部と；
前記対象ユーザの口座の使える金額をクエリして、前記使える金額が前記支払い要求により要求される対象金額以上であるかを検証する検証部と；
前記対象ユーザの前記口座の前記使える金額から引き出された前記対象金額を、前記オンラインソーシャルネットワークのグループの共有口座へ投入するリソース組合せ部と；
前記検証結果が肯定の場合、前記対象ユーザの前記口座の前記使える金額から前記対象金額を引き出し、前記対象ユーザの前記口座の前記使える金額から引き出された前記対象金額を、前記オンラインソーシャルネットワークのグループの共有口座へ投入し、前記対象ユーザを前記オンラインソーシャルネットワークのグループに関連付ける相関部と；を備え、
前記オンラインソーシャルネットワークのグループとの関連付けの後、前記対象ユーザは前記共有口座の使用をクエリすることができるようになる、
トランザクション処理システム。
【請求項１０】
前記対象ユーザはインスタントメッセージユーザであり、
前記相関要求及び前記支払い要求はインスタントメッセージにより送信される、
請求項９に記載のシステム。
【請求項１１】
トランザクション処理システムであって：
相関要求を対象ユーザへ送信するものであって、前記相関要求はオンラインソーシャルネットワークのグループによりプリセットされた支払い要求を含む、送信部と；
前記対象ユーザの口座の使える金額をクエリして、前記使える金額が前記支払い要求により要求される対象金額以上であるかを検証する検証部と；
前記対象ユーザの前記口座の前記使える金額から引き出された前記対象金額を前記オンラインソーシャルネットワークのグループの共有口座へ投入するリソース組合せ部と；
前記検証結果が肯定の場合、前記対象ユーザの前記口座の前記使える金額から前記対象金額を引き出し、前記対象ユーザの前記口座の前記使える金額から引き出された前記対象金額を、前記オンラインソーシャルネットワークのグループの共有口座へ投入し、前記対象ユーザを前記オンラインソーシャルネットワークのグループに関連付ける相関部と；を備え、
前記オンラインソーシャルネットワークのグループとの関連付けの後、前記対象ユーザは前記共有口座の使用をクエリすることができるようになる、
トランザクション処理システム。
載のシステム。
【請求項１２】
前記対象ユーザはインスタントメッセージユーザであり、
前記相関要求及び前記支払い要求はインスタントメッセージにより送信される、
請求項１１に記載のシステム。
【手続補正２】
【補正対象書類名】明細書
【補正対象項目名】０１２５
【補正方法】変更
【補正の内容】
【０１２５】
上記記載は単なる本願の実施の形態であり、本願を制限することを意図するものではない。当業者は、本願に様々な変更及び改造を行うことができる。本願の精神及び原理内でなされるあらゆる改変、均等物との置き換え、改良等は、すべて本願の請求の範囲に包含されるべきものである。
以下、本発明の実施の態様の例を列挙する。
［第１の局面］
トランザクション処理方法であって：
オブジェクトノードをノードグループに関連付ける相関要求を受信するステップと；
前記ノードグループによりプリセットされたリソース取得要求を前記オブジェクトノードに対して開始するステップと；
前記オブジェクトノードの信頼できるリソースをクエリし、前記信頼できるリソースが前記リソース取得要求によって要求されるターゲットリソースを含むかどうかを検証するステップと；
前記検証結果が肯定の場合、前記オブジェクトノードの前記信頼できるリソースから前記ターゲットリソースを抽出し、前記オブジェクトノードを前記ノードグループに関連付けるステップと；を備える、
トランザクション処理方法。
［第２の局面］
前記オブジェクトノードの前記信頼できるリソースから抽出された前記ターゲットリソースを、前記ノードグループの共有リソースプールへ投入するステップを更に備える、
第１の局面に記載の方法。
［第３の局面］
トランザクション処理方法であって：
オブジェクトノードへ相関要求を送信するステップであって、前記相関要求はノードグループによりプリセットされたリソース取得要求を含む、送信するステップと；
前記オブジェクトノードの信頼できるリソースにクエリして、前記信頼できるリソースが前記リソース取得要求により要求されるターゲットリソースを含むかどうかを検証するステップと；
前記検証結果が肯定の場合、前記オブジェクトノードの前記信頼できるリソースから前記ターゲットリソースを抽出し、前記オブジェクトノードを前記ノードグループに関連付けるステップと；を備える、
トランザクション処理方法。
［第４の局面］
前記オブジェクトノードの前記信頼できるリソースから抽出された前記ターゲットリソースを前記ノードグループの共有リソースプールへ投入するステップを更に備える、
第３の局面に記載の方法。
［第５の局面］
トランザクション処理方法であって：
対象ユーザをユーザグループに関連付ける相関要求を受信するステップと；
前記ユーザグループによりプリセットされた支払い要求を前記対象ユーザに対して開始するステップと；
前記対象ユーザの口座の使える金額をクエリして、前記使える金額が前記支払い要求により要求される対象金額を超える又は等しいかを検証するステップと；
前記検証結果が肯定の場合、前記対象ユーザの前記口座の前記使える金額から前記対象金額を引き出し、前記対象ユーザを前記ユーザグループに関連付けるステップと；を備える、
トランザクション処理方法。
［第６の局面］
前記対象ユーザの前記口座の前記使える金額から引き出された前記対象金額を前記ユーザグループの共有口座へ投入するステップを更に備える、
第５の局面に記載の方法。
［第７の局面］
前記対象ユーザはインスタントメッセージユーザであり、
前記ユーザグループ はインスタントメッセージグループであり、
前記相関要求及び前記支払い要求はインスタントメッセージにより送信される、
第５の局面に記載の方法。
［第８の局面］
トランザクション処理方法であって：
相関要求を対象ユーザへ送信するステップであって、前記相関要求はユーザグループによりプリセットされた支払い要求を含む、送信するステップと；
前記対象ユーザの口座の使える金額をクエリして、前記使える金額が前記支払い要求により要求される対象金額を超える又は等しいかを検証するステップと；
前記検証結果が肯定の場合、前記対象ユーザの前記口座の前記使える金額から前記対象金額を引き出し、前記対象ユーザを前記ユーザグループに関連付けるステップと；を備える、
トランザクション処理方法。
［第９の局面］
前記対象ユーザの前記口座の前記使える金額から引き出された前記対象金額を、前記ユーザグループの共有口座へ投入するステップを更に備える、
第８の局面に記載の方法。
［第１０の局面］
前記対象ユーザはインスタントメッセージユーザであり、
前記ユーザグループ はインスタントメッセージグループであり、
前記相関要求及び前記支払い要求はインスタントメッセージにより送信される、
第８の局面に記載の方法。
［第１１の局面］
トランザクション処理システムであって：
オブジェクトノードをノードグループに関連付ける相関要求を受信する受信部と；
前記ノードグループによりプリセットされたリソース取得要求を前記オブジェクトノードに対して開始する送信部と；
前記オブジェクトノードの信頼できるリソースをクエリし、前記信頼できるリソースが前記リソース取得要求によって要求されるターゲットリソースを含むかどうかを検証する検証部と；
前記検証結果が肯定の場合、前記オブジェクトノードの前記信頼できるリソースから前記ターゲットリソースを抽出し、前記オブジェクトノードを前記ノードグループに関連付ける相関部と；を備える、
トランザクション処理システム。
［第１２の局面］
前記オブジェクトノードの前記信頼できるリソースから抽出された前記ターゲットリソースを、前記ノードグループの共有リソースプールへ投入するリソース組合せ部を更に備える、
第１１の局面に記載のシステム。
［第１３の局面］
トランザクション処理システムであって：
オブジェクトノードに相関要求を送信し、前記相関要求はノードグループによりプリセットされたリソース取得要求を含む送信部と；
前記オブジェクトノードの信頼できるリソースにクエリして、前記信頼できるリソースが前記リソース取得要求により要求されるターゲットリソースを含むかどうかを検証する検証部と；
前記検証結果が肯定の場合、前記オブジェクトノードの前記信頼できるリソースから前記ターゲットリソースを抽出し、前記オブジェクトノードを前記ノードグループに関連付ける相関部と；を備える、
トランザクション処理システム。
［第１４の局面］
前記オブジェクトノードの前記信頼できるリソースから抽出された前記ターゲットリソースを、前記ノードグループの共有リソースプールへ投入するリソース組合せ部を更に備える、
第１３の局面に記載のシステム。
［第１５の局面］
トランザクション処理システムであって：
対象ユーザをユーザグループに関連付ける相関要求を受信する受信部と；
前記ユーザグループによりプリセットされた支払い要求を前記対象ユーザに対して開始する送信部と；
前記対象ユーザの口座の使える金額をクエリして、前記使える金額が前記支払い要求により要求される対象金額を超える又は等しいかを検証する検証部と；
前記検証結果が肯定の場合、前記対象ユーザの前記口座の前記使える金額から前記対象金額を引き出し、前記対象ユーザを前記ユーザグループに関連付ける相関部と；を備える、
トランザクション処理システム。
［第１６の局面］
前記対象ユーザの前記口座の前記使える金額から引き出された前記対象金額を、前記ユーザグループの共有口座へ投入するリソース組合せ部を更に備える、
第１５の局面に記載のシステム。
［第１７の局面］
前記対象ユーザはインスタントメッセージユーザであり、
前記ユーザグループはインスタントメッセージグループであり、
前記相関要求及び前記支払い要求はインスタントメッセージにより送信される、
第１５の局面に記載のシステム。
［第１８の局面］
トランザクション処理システムであって：
相関要求を対象ユーザへ送信し、前記相関要求はユーザグループによりプリセットされた支払い要求を含む送信部と；
前記対象ユーザの口座の使える金額をクエリして、前記使える金額が前記支払い要求により要求される対象金額を超える又は等しいかを検証する検証部と；
前記検証結果が肯定の場合、前記対象ユーザの前記口座の前記使える金額から前記対象金額を引き出し、前記対象ユーザを前記ユーザグループに関連付ける相関部と；を備える、
トランザクション処理システム。
［第１９の局面］
前記対象ユーザの前記口座の前記使える金額から引き出された前記対象金額を前記ユーザグループの共有口座へ投入するリソース組合せ部を更に備える、
第１８の局面に記載のシステム。
［第２０の局面］
前記対象ユーザはインスタントメッセージユーザであり、
前記ユーザグループ はインスタントメッセージグループであり、
前記相関要求及び前記支払い要求はインスタントメッセージにより送信される、
第１８の局面に記載のシステム。